(57)【要約】【課題】複数の光ディスクが選択可能に収納されているチェンジャー付の光ディスク再生装置において、簡便かつ視覚的に所望の光ディスクを選択して再生することができる光ディスク再生装置を提供する。【解決手段】本発明に係る光ディスク再生装置は、複数の光ディスクを選択可能に収納するディスク収納選択部と、ディスク収納選択部に収納されている各光ディスクから抽出された特徴画像を前記各光ディスクの識別情報と関連付けて記憶する記憶部と、各光ディスクのいずれかをユーザが選択するための一覧表示として、前記各光ディスクに対応する前記特徴画像を一覧表示させる表示制御部と、ユーザの選択操作に基づき前記ディスク収納選択部にて選択された光ディスクを再生する再生部と、を備えたことを特徴とする。【選択図】  図１
2009163789.tif 000002
【特許請求の範囲】
【請求項１】
複数の光ディスクを選択可能に収納するディスク収納選択部と、
前記ディスク収納選択部に収納されている各光ディスクから抽出された特徴画像を前記各光ディスクの識別情報と関連付けて記憶する記憶部と、
前記各光ディスクのいずれかをユーザが選択するための一覧表示として、前記各光ディスクに対応する前記特徴画像を一覧表示させる表示制御部と、
ユーザの選択操作に基づき前記ディスク収納選択部にて選択された光ディスクを再生する再生部と、
を備えたことを特徴とする光ディスク再生装置。
【請求項２】
前記特徴画像は、前記光ディスクの管理情報の１つとして記録されている画像ファイルから読み出される画像である、
ことを特徴とする請求項１に記載の光ディスク再生装置。
【請求項３】
前記光ディスクは、ＨＤ−ＤＶＤビデオ規格に基づく光ディスクであり、
前記画像ファイルは、パーシステント・ストレージ・マネージメント・メニューの中にある画像ファイルである、
ことを特徴とする請求項２に記載の光ディスク再生装置。
【請求項４】
前記記憶部は、再生を再開するために必要なブックマーク情報と、再生再開直後の映像から抽出されるブックマーク画像とを前記各光ディスクに関連付けて記憶し、
前記特徴画像は前記ブックマーク画像である、
ことを特徴とする請求項１に記載の光ディスク再生装置。
【請求項５】
複数の光ディスクを選択可能に収納するディスク収納選択部を具備する光ディスク再生装置の光ディスク再生方法において、
（ａ）前記ディスク収納選択部に収納されている各光ディスクから抽出された特徴画像を前記各光ディスクの識別情報と関連付けて記憶し、
（ｂ）前記各光ディスクのいずれかをユーザが選択するための一覧表示として、前記各光ディスクに対応する前記特徴画像を一覧表示させ、
（ｃ）ユーザの選択操作に基づき前記ディスク収納選択部にて選択された光ディスクを再生する、
ステップを備えたことを特徴とする光ディスク再生方法。
【請求項６】
前記特徴画像は、前記光ディスクの管理情報の１つとして記録されている画像ファイルから読み出される画像である、
ことを特徴とする請求項５に記載の光ディスク再生方法。
【請求項７】
前記光ディスクは、ＨＤ−ＤＶＤビデオ規格に基づく光ディスクであり、
前記画像ファイルは、パーシステント・ストレージ・マネージメント・メニューの中にある画像ファイルである、
ことを特徴とする請求項６に記載の光ディスク再生方法。
【請求項８】
（ｄ）再生を再開するために必要なブックマーク情報と、再生再開直後の映像から抽出されるブックマーク画像とを前記各光ディスクに関連付けて記憶する、
ステップをさらに備え、
前記特徴画像は前記ブックマーク画像である、
ことを特徴とする請求項５に記載の光ディスク再生方法。
【請求項９】
複数の光ディスクを選択可能に収納するディスク収納選択部と、
前記ディスク収納選択部に収納されている光ディスクがＨＤ−ＤＶＤビデオ規格に基づく光ディスクである場合にはパーシステント・ストレージ・マネージメント・メニューの中にある画像ファイルを前記各光ディスクの識別情報と関連付けて記憶するパーシステント・ストレージと、
前記パーシステント・ストレージが前記画像ファイルを記憶する場合には、前記各光ディスクのいずれかをユーザが選択的に再生するためのディスク選択画面を当該画像ファイルを用いて生成して一覧表示させる表示制御部と、
前記ディスク選択画面からユーザが選択した画像ファイルに基づき、前記ディスク収納選択部にて選択された光ディスクを再生する再生部と、
を備えたことを特徴とする光ディスク再生装置。
【請求項１０】
複数の光ディスクを選択可能に収納するディスク収納選択部と、
前記ディスク収納選択部に収納されている光ディスクがＨＤ−ＤＶＤビデオ規格に基づく光ディスクである場合であって、ユーザのブックマーク指定があったときにブックマーク画像を前記各光ディスクの識別情報と関連付けて記憶するパーシステント・ストレージと、
前記パーシステント・ストレージが前記ブックマーク画像を記憶する場合には、前記各光ディスクのいずれかをユーザが選択的に再生するためのディスク選択画面を当該ブックマーク画像を用いて生成して一覧表示させる表示制御部と、
前記ディスク選択画面からユーザが選択したブックマーク画像に基づき、前記ディスク収納選択部にて選択された光ディスクを再生する再生部と、
を備えたことを特徴とする光ディスク再生装置。
【発明の詳細な説明】
【技術分野】
【０００１】
本発明は、光ディスク再生装置及び光ディスク再生方法に係り、特に、複数の光ディスクを収納し、これら複数の光ディスクから１つの光ディスクを選択して再生することができる光ディスク再生装置及び光ディスク再生方法に関する。
【背景技術】
【０００２】
従来から、車載用の光ディスク再生装置においては、チェンジャーと呼ばれる装置が搭載されているものがある。チェンジャーは、複数のＣＤやＤＶＤ等の光ディスクを収納することが可能であり、運転中であってもドライバーがいちいち光ディスクを交換することなく、複数の光ディスクを連続的に再生し、或いは任意の光ディスクを簡便な操作で選択して再生することができる。
【０００３】
多くの車載用の光ディスク再生装置では、ＣＤによる音楽再生だけでなくＤＶＤによる映像再生も可能である。後部座席用のディスプレイ装置も普及しており、後部座席の乗車者は運転中であっても映画等の様々なコンテンツを車内で視聴することができる。
【０００４】
他方、高精細ビデオ（ＨＤビデオ：High  Definition  Video）が記録された光ディスク、例えばＨＤ  ＤＶＤが市場に出回り始め、ＨＤ  ＤＶＤ等を再生する家庭用光ディスク再生装置も普及してきている。高精細かつ高品質なビデオ・オーディオコンテンツの記録再生に関するアプリケーション規格としてＨＤ  ＤＶＤビデオ規格がある（ＨＤ  ＤＶＤビデオ規格の詳細については、例えば、特許文献１等参照）。ＨＤ  ＤＶＤビデオ規格は、従来のＤＶＤビデオ規格を発展させた規格であり、ビデオの解像度を向上させているだけでなく、表示・再生可能なビデオやオーディオの種類が多様化されている。また所望の再生開始位置を登録することができるブックマーク機能（例えば、特許文献２等参照）も標準的に備えており、ユーザ操作に関する機能も多様化されている。
【０００５】
車載用の光ディスク再生装置の分野においてもＨＤ  ＤＶＤビデオ規格に基づく光ディスクをチェンジャーに収納して再生することができる装置の開発が進められてきており、高精細ビデオを車内で視聴することが可能になりつつある。
【特許文献１】特開２００７−１７２７６３号公報
【特許文献２】特開平１１−２７３３１９号公報
【発明の開示】
【発明が解決しようとする課題】
【０００６】
ところで、従来のチェンジャー付光ディスク再生装置では、チェンジャーに収納されている複数の光ディスクの中から所望の光ディスクを選択するときの操作がやや不便であった。
【０００７】
映像が記録されている複数の光ディスクの中から所望の光ディスクを選択しようとした場合、順番に１枚ずつ再生し、先頭部分の表示画像を確認しながら選択する方法があるが、これは時間もかかるし面倒である。
【０００８】
また、光ディスクに記録されている識別情報とユーザが任意に入力したディスクのタイトル名とを関連付けて装置内に登録し、電源投入直後にディスクのタイトル名の一覧をディスプレイ装置に表示させる方法もある。しかしながら、この方法は、ユーザが予めディスク毎にタイトル名を、例えば任意のかな文字や英数字で入力する必要があり、この入力作業が面倒である。また、入力したタイトル名がコンテンツとの関連性が低い不適切なものであった場合には、タイトル名の一覧だけからは所望の光ディスクを１回の操作で選択できない場合もありうる。
【０００９】
本発明は、上記事情に鑑みてなされたものであり、複数の光ディスクが選択可能に収納されているチェンジャー付の光ディスク再生装置において、簡便かつ視覚的に所望の光ディスクを選択して再生することができる光ディスク再生装置及び光ディスク再生方法を提供することを目的とする。
【課題を解決するための手段】
【００１０】
上記課題を解決するため、本発明に係る光ディスク再生装置は、請求項１に記載したように、複数の光ディスクを選択可能に収納するディスク収納選択部と、前記ディスク収納選択部に収納されている各光ディスクから抽出された特徴画像を前記各光ディスクの識別情報と関連付けて記憶する記憶部と、前記各光ディスクのいずれかをユーザが選択するための一覧表示として、前記各光ディスクに対応する前記特徴画像を一覧表示させる表示制御部と、ユーザの選択操作に基づき前記ディスク収納選択部にて選択された光ディスクを再生する再生部と、を備えたことを特徴とする。
【００１１】
また、本発明に係る光ディスク再生方法は、請求項５に記載したように、複数の光ディスクを選択可能に収納するディスク収納選択部を具備する光ディスク再生装置の光ディスク再生方法において、（ａ）前記ディスク収納選択部に収納されている各光ディスクから抽出された特徴画像を前記各光ディスクの識別情報と関連付けて記憶し、（ｂ）前記各光ディスクのいずれかをユーザが選択するための一覧表示として、前記各光ディスクに対応する前記特徴画像を一覧表示させ、（ｃ）ユーザの選択操作に基づき前記ディスク収納選択部にて選択された光ディスクを再生する、ステップを備えたことを特徴とする。
【発明の効果】
【００１２】
本発明に係る光ディスク再生装置及び光ディスク再生方法によれば、複数の光ディスクが選択可能に収納されているチェンジャー付の光ディスク再生装置において、簡便かつ視覚的に所望の光ディスクを選択して再生することができる。
【発明を実施するための最良の形態】
【００１３】
本発明に係る光ディスク再生装置の実施形態について、添付図面を参照して説明する。
【００１４】
（１）光ディスク再生装置の構成
図１は、本実施形態に係る光ディスク再生装置１の構成例を示すブロック図である。光ディスク再生装置１は、光ディスク再生装置本体２とディスク収納選択部３とを有している。
【００１５】
ディスク収納選択部３はチェンジャーとも呼ばれる装置であり、複数の光ディスク、例えば６枚のＨＤ  ＤＶＤを筐体内に収納することができる。光ディスク再生装置本体２から選択信号が出力されると、ディスク収納選択部３では指定された光ディスクを取り出して光ディスク装置１の光ディスクドライブ１０（図２参照）に装着する。新たに別の光ディスクを選択するように光ディスク再生装置本体２から指示された場合には、現在装着されている光ディスクを一旦ディスク収納選択部３に戻してから新たに選択された光ディスクを装着する。
【００１６】
光ディスク再生装置本体２からは光ディスクを再生して得られるビデオ出力とオーディオ出力がディスプレイ装置２００とスピーカ２０１に夫々供給される。図１では、ディスプレイ装置２００とスピーカ２０１とを光ディスク再生装置１の外部構成品として例示しているが、これらを光ディスク再生装置１の構成の一部としてもよい。
【００１７】
図２は、光ディスク再生装置本体２の構成例を示すブロック図である。光ディスク再生装置本体２は、光ディスクドライブ１０、記憶部２０、読取部３０、ファイルキャッシュ部４０、再生制御部５０、再生部６０、ユーザインタフェース部９０等を備えて構成されている。また、再生部６０は、プレゼンテーションエンジン部７０及びＡＶレンダラー部８０を有している。
【００１８】
光ディスクドライブ１０は、読取部３０からの指示によって、光ディスクに記録されたデータを読み取り、誤り訂正等の処理を行った後、読取部（Data  Access  Manager）３０に出力する。読取部３０は、光ディスクドライブに対して読み取るデータの種類やデータのアドレス等の指示を与える。
【００１９】
記憶部（Persistent  Storage）２０は、光ディスク再生装置１が内蔵する記憶デバイスであり、記憶デバイスの種類や容量は特に限定されない。例えばフラッシュメモリ等で構成される。記憶部２０は、コンテンツ自身が何らかのデータを記録させる等の用途に用いられるデバイスであり、例えば、あるコンテンツが記録したデータを別のコンテンツが参照したり、或いはあるコンテンツが記録したデータを別のコンテンツが自由に書き換えたりすることができる。
【００２０】
本実施形態では、後述するように、ディスク収納選択部３に収納されている各光ディスクを特定するための特徴画像を記憶するデバイスとしても利用している。
【００２１】
ファイルキャッシュ部４０は、外部のネットワークサーバからダウンロードしたデータ等を一時的に保存するデバイスとして利用される。
【００２２】
再生制御部（Navigation  Manager）５０は、アドバンストコンテンツ（Advanced  Contents）に含まれるマークアップやスクリプトと呼ばれる制御データを読み込んで再生部６０の制御や光ディスク再生装置１の各部の制御を行っている。また、ユーザインタフェース部９０から入力されるユーザ操作情報を読み取り、ディスク収納選択部３に収納されている光ディスクの選択、選択された光ディスクに記録されている再生すべきコンテンツの特定や、再生の開始、停止、早送り等の各種制御を行っている。
【００２３】
また、再生制御部５０は表示制御部５１を有しており、表示制御部５１では、特に本実施形態に係る一覧表示等の画像表示制御を行っている。この表示制御によって一覧表示画像は再生部６０で生成され、ディスプレイ装置２００に表示される。
【００２４】
再生部６０のプレゼンテーションエンジン部７０は、アドバンストコンテンツのビデオオブジェクト（EVOB）に含まれているメインビデオ、サブビデオ、メインオーディオ、サブオーディオ、サブピクチャー等のパケットから時間的に連続したストリームを生成し、ストリーム毎にデコード処理を行っている。
【００２５】
再生部６０のＡＶレンダラー部８０では、デコード処理によって生成されるメインビデオ、サブビデオ、サブピクチャーの各画像プレーンや、カーソル画像プレーン、グラフィックス画像プレーンを重ね合わせて一枚の合成画像プレーンを生成し、この合成画像プレーンをビデオ信号としてディスプレイ装置２００等に出力している。
【００２６】
また、ＡＶレンダラー部８０では、メインオーディオやサブオーディオ等のオーディオ信号の合成（ミキシング）も行っており、合成されたオーディオ信号をスピーカ２０１等に出力している。
【００２７】
本実施形態に係る光ディスク再生装置１では、ＨＤ  ＤＶＤビデオ規格に基づく光ディスクの他、ＣＤや従来型のＤＶＤも再生可能である。また、ＨＤ  ＤＶＤ規格に基づく光ディスクは、スタンダードコンテンツのみが記録されているカテゴリ１、アドバンスドコンテンツのみが記録されているカテゴリ２、及びスタンダードコンテンツとアドバンストコンテンツの双方が記録されたカテゴリ３に分類することができる。
【００２８】
図２に示した構成例は、光ディスク再生装置本体２の構成のうち、特にアドバンストコンテンツの再生のために必要な構成例を取り出して図示したものであり、再生対象となる光ディスク１００は、主にカテゴリ２とカテゴリ３の光ディスクとなる。
【００２９】
図３は、アドバンストコンテンツの構成例を示す図である。アドバンストコンテンツは、プレイリスト（順序定義データ）と呼ばれる基本的な制御データと、４種類のプレゼンテーションオブジェクトと呼ばれるオブジェクトから構成されている。４種類のプレゼンテーションオブジェクトは、夫々、プライマリビデオセット（Primary  Video  Set）、セカンダリビデオセット（Secondary  Video  Set）、アプリケーション（Advanced  Application）、アドバンストサブタイトル（Advanced  Subtitle）と呼ばれている。これら４種類のプレゼンテーションオブジェクトはいずれもプレイリストから参照される。
【００３０】
プライマリビデオセットは、１つの管理データ（VTSI）と、複数の対になったプライマリビデオオブジェクト（P-EVOB）とタイムマップ（TMAP）とから構成されている。
【００３１】
管理データ（VTSI）は、ディスク上の総てのプライマリビデオオブジェクト（P-EVOB）の属性情報が記録されており、プライマリビデオオブジェクト（P-EVOB）を再生する前に管理データ（VTSI）を読み込み、再生部６０に対する設定を行うことができる。
【００３２】
タイムマップ（TMAP）は、プライマリビデオオブジェクト（P-EVOB）のランダムアクセスを行うために必要な情報であり、プライマリビデオオブジェクト（P-EVOB）の先頭からの再生時刻を、プライマリビデオオブジェクト（P-EVOB）を格納したファイル内のアドレスに変換するためのテーブルである。
【００３３】
プライマリビデオオブジェクト（P-EVOB）は、コンテンツの中身が記録されているデータである。
【００３４】
セカンダリビデオセットは、複数の対になったセカンダリビデオオブジェクト（S-EVOB）とタイムマップ（TMAP）とから構成されている。セカンダリビデオオブジェクト（S-EVOB）は、プライマリビデオオブジェクト（P-EVOB）と同様に、コンテンツの中身が記録されているデータである。また、セカンダリビデオセットのタイムマップ（TMAP）もプライマリビデオセットのタイムマップと同様にセカンダリビデオオブジェクト（S-EVOB）のランダムアクセスを行うために必要な情報である。セカンダリビデオセットには独立した管理データ(VTSI)のファイルは存在しないが、管理情報はタイムマップの一部に含まれている。
【００３５】
プライマリビデオセットは光ディスクに記録されており、ディスクから直接再生することを前提としたビデオオブジェクトである。これに対して、セカンダリビデオセットはより汎用的であり、外部のネットワークサーバや記憶部２０に記録することができる。そして、ネットワークサーバや記憶部２０から直接再生することもできるし、一旦ファイルキャッシュ部４０等にダウンロードしてから再生することもできる。
【００３６】
アプリケーションは、マニフェスト、マークアップ、及びスクリプトと呼ばれる制御データを有しており、これらの制御データによって前述したプライマリビデオセットやセカンダリビデオセットの再生制御を行っている。
【００３７】
また、アプリケーションは、JPEGやPNG形式等の画像データ、効果音、フォントをその構成要素として有しており、これらの画像データ、効果音、フォントをビデオ出力やオーディオ出力に重ねて合成することができる。
【００３８】
アドバンストサブタイトルは字幕の表示に特化したアプリケーションであり、字幕表示用の画像やフォントを構成要素として有する他、これらの表示を制御するマニフェスト、マークアップ、及びスクリプトの各制御データを備えている。
【００３９】
（２）複数ディスクの一覧表示
前述したように、従来のチェンジャー付光ディスク再生装置では、チェンジャーに収納されている複数のディスクを一覧表示するための機能がやや貧弱であった。従来の一覧表示は、ユーザが予めかな文字や英数字のテキストを入力してディスク名を登録し、入力したテキストの一覧表示をする方法が主なものであった。テキストデータの入力は煩雑であり、また表示される内容もテキストの一覧表示であるため、光ディスクの内容を視覚的に即座にユーザに認知させることは困難であった。
【００４０】
これに対して、本実施形態に係る光ディスク再生装置１では、チェンジャー（ディスク収納選択部３）に収納されている光ディスクを画像（静止画）で自動的に一覧表示するようにしている。このため、一覧表示に関する操作は不要であり、また視覚的に認知しやすい一覧表示によって即座に所望の光ディスクを選択することが可能となっている。以下、本実施形態に係る一覧表示方法について説明する。
【００４１】
（３）第１の一覧表示方法
第１の一覧表示方法は、光ディスクの管理情報ファイルの１つとして光ディスクに予め記録されている画像ファイルを読み出して表示させる方法である。
【００４２】
図４は、アドバンストコンテンツとスタンダードコンテンツが記録されているＨＤ  ＤＶＤビデオ規格の光ディスクのディレクトリとファイルの一例を示す図である。アドバンストコンテンツが記録されている光ディスクでは、Rootディレクトリの直下に”ADV_OBJ”という名称のディレクトリが設けられている。この”ADV_OBJ” ディレクトリには、前述したプレイリストのファイルやアドバンストコンテンツ再生に用いられる各種ファイルが設けられている。
【００４３】
これらのファイルの中に、「パーシステント・ストレージ・マネージメント・メニュー（Persistent Storage Management Menu）」と呼ばれる画像ファイルがある。この画像ファイルは、コンテンツ制作会社のロゴマーク画像や、コンテンツの内容や名称を端的に表すロゴ画像のファイルとなっているものが多い。画像のサイズも、例えば１０２４×９６ドットといった横長の画像となっている（以下、「パーシステント・ストレージ・マネージメント・メニュー（Persistent Storage Management Menu）」の画像を単にロゴ画像と呼ぶ）。これらのロゴ画像の利用形態は特に規定されているものではないが、例えばディスク再生の最初の一定期間に自動的に表示させる等の目的で利用されており、その光ディスクの特徴を的確に捉えている画像が多い。
【００４４】
第１の一覧表示方法では、このロゴ画像のファイルを光ディスクの特徴画像として抽出し、一覧表示に利用している。
【００４５】
図５は、第１の一覧表示方法による表示画面Ｗ１の一例を示したものである。一覧表示の画面Ｗ１には、ディスク収納選択部３に収納されている６枚の光ディスクのロゴ画像が一覧表示される。表示画面Ｗ１は、例えばディスプレイ装置２００に表示されるものである。ユーザはこの一覧表示によってディスク収納選択部３に収納されている総ての光ディスクを視覚的に即座に認知することができる。そして、一覧表示の中から所望のディスクをユーザインタフェース部９０によって選択する。ユーザインタフェース部９０は、例えば、ディスプレイ装置２００の表示画面に重ねて設けられるタッチパネルや、リモートコントローラ等である。
【００４６】
光ディスクに記録されているロゴ画像は一旦光ディスク再生装置本体２の記憶部２０に保存される。このとき、各ロゴ画像はその光ディスクの識別情報と関連付けて保存される。記憶部２０には、新たな光ディスクがディスク収納選択部３に装着されるたびにそのディスク識別情報とロゴ画像とが保存されていく。その光ディスクをディスク収納選択部３から取り出した後再度装着した場合は、ディスク識別情報によって過去にそのディスクのロゴ画像が保存されていることがわかるため、再度そのロゴ画像を保存する処理は不要となる。このように、記憶部２０には、現在ディスク収納選択部３に収納されている光ディスクのロゴ画像だけでなく、過去にディスク収納選択部３に装着された光ディスクのロゴ画像も保存されている。
【００４７】
光ディスク再生装置１に電源が投入されると、ディスク収納選択部３に収納されている総ての光ディスクのロゴ画像が記憶部２０から読み出され、図５に例示したようにディスプレイ装置２００に一覧表示として表示される。
【００４８】
なお、光ディスクによっては、「パーシステント・ストレージ・マネージメント・メニュー（Persistent Storage Management Menu）」の画像ファイルが記録されていないものも存在する。この場合には、図５の「ディスク４」のようにその光ディスクの一覧表示欄はブランクとして表示される。
【００４９】
（４）第２の一覧表示方法
第２の一覧表示方法は、いわゆるブックマーク機能によって生成されるブックマーク画像を一覧表示に利用する方法である。
【００５０】
図６は、ブックマーク画像の生成処理の概念を示す図である。ブックマークとは、光ディスクの再生中に、ユーザの操作により任意のタイミングで設定する「しおり」であり、次回の再生時に設定した「しおり（ブックマーク）」の位置からの再生が可能である。ユーザは、ユーザインタフェース部９０（例えばリモートコントローラやタッチパネル等）を利用して光ディスクの再生中にブックマーク設定指示を行う。このとき、ブックマーク設定指示を行ったタイミングでの光ディスクの再生時刻情報等がブックマーク情報として、そのディスクの識別情報と共に記憶部２０に保存される。
【００５１】
また、ブックマーク設定指示を行ったときの再生映像を静止画として記憶部２０に保存することもできる。この静止画がブックマーク画像である。ユーザがブックマークからの再生を開始しようとするとき、このブックマーク画像を表示させることによってユーザによる再生位置の確認が容易となる。
【００５２】
ディスク収納選択部３にある複数の光ディスクの総てに対してブックマークを設定しておけば、各光ディスクに対するブックマーク画像が記憶部２０に保存されることになる。第２の一覧表示方法では、このブックマーク画像をその光ディスクの特徴画像として一覧表示させている。
【００５３】
図７は、第２の一覧表示方法による表示画面Ｗ２の一例を示したものである。一覧表示の画面Ｗ２には、ディスク収納選択部３に収納されている６枚の光ディスクのブックマーク画像を縮小した縮小ブックマーク画像が一覧表示される。表示画面Ｗ２は、第１の一覧表示方法による画面Ｗ１と同様に、例えばディスプレイ装置２００に表示されるものである。ユーザはこの一覧表示によってディスク収納選択部３に収納されている総ての光ディスクを視覚的に即座に認知することができる。そして、一覧表示の中から所望のディスクをユーザインタフェース部９０によって容易に選択することができる。
【００５４】
記憶部２０には、ブックマーク画像がその光ディスクの識別情報と共に保存される。また、現在ディスク収納選択部３に収納されている光ディスクのブックマーク画像だけでなく、過去にディスク収納選択部３に装着された光ディスクのブックマーク画像も識別情報と共に保存されている。従って、過去にブックマーク設定を行った光ディスクであれば、ディスク収納選択部３に装着する都度ブックマーク画像を取り込むことなく一覧表示をすることができる。
【００５５】
ただし、ブックマーク設定を全く行っていない初めての光ディスクの場合には、その光ディスクのブックマーク画像は記憶部２０に保存されていないため、図７の「ディスク６」のようにブランク表示となる。
【００５６】
ブックマークは１枚の光ディスクに対して複数設定することが可能である。この場合には、例えば、一番先頭のブックマーク画像をその光ディスクを代表する特徴画像として一覧表示に用いても良い。また、複数のブックマーク画像の中から一覧表示用の画像を選択するためのメニュー画面を別途設け、ユーザが一覧表示用のブックマーク画像を選択、設定できるようにしても良い。
【００５７】
以上説明してきたように、本実施形態に係る光ディスク再生装置１及び光ディスク再生方法によれば、ディスク収納選択部３（チェンジャー）に収納されている複数の光ディスクの一覧表示が自動的に、かつ特徴画像によって視覚的に表示されるため、ユーザは所望の光ディスクを確実にかつ迅速に選択して再生することができる。
【００５８】
また、第１の一覧表示方法では、ＨＤ  ＤＶＤ規格として規定されている画像ファイル（「パーシステント・ストレージ・マネージメント・メニュー（Persistent Storage Management Menu）」の画像ファイル）を一覧表示用の利用しているため、ＨＤ  ＤＶＤビデオ規格の再生装置では、画像キャプチャ装置等の特別な装置を新たに設けることなく夫々の特徴画像を一覧表示させることができる。
【００５９】
同様に、ＨＤ  ＤＶＤ規格にはブックマークとしてブックマーク画像を保存する機能が標準的に含まれており、画像キャプチャ装置等の特別な装置を新たに設けることなく各光ディスクのブックマーク画像を特徴画像として一覧表示させることができる。
【００６０】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６１】
【図１】本発明の一実施形態に係る光ディスク再生装置の構成例を示すブロック図。
【図２】光ディスク再生装置本体の細部構成例を示すブロック図。
【図３】光ディスク再生装置で再生するアドバンストコンテンツの構成例を示す図。
【図４】ＨＤ  ＤＶＤのディレクトリとファイルの一例を示す図であり、特にロゴ画像ファイルの配置位置例を示す図。
【図５】第１の一覧表示方法（ロゴ画像の表示）による表示画像の一例を示す図。
【図６】ブックマーク画像生成方法を模式的に説明する図。
【図７】第２の一覧表示方法（ブックマーク画像の表示）による表示画像の一例を示す図。
【符号の説明】
【００６２】
１  光ディスク再生装置
２  光ディスク再生装置本体
３  ディスク収納選択部（チャンジャー）
１０  光ディスクドライブ
２０  記憶部
３０  読取部
４０  ファイルキャッシュ部
５０  再生制御部
６０  再生部
７０  プレゼンテーションエンジン部
８０  ＡＶレンダラー部
９０  ユーザインタフェース部
２００  ディスプレイ装置
２０１  スピーカ
【図１】
2009163789.tif 000003
【図２】
2009163789.tif 000004
【図３】
2009163789.tif 000005
【図４】
2009163789.tif 000006
【図５】
2009163789.tif 000007
【図６】
2009163789.tif 000008
【図７】
2009163789.tif 000009